【手続補正書】
【提出日】平成17年4月7日(2005.4.7)
【手続補正１】
【補正対象書類名】明細書
【補正対象項目名】請求項１
【補正方法】変更
【補正の内容】
【請求項１】
出力ノードの電位が参照電位に応じた電位になるように前記出力ノードの充放電を行なう電位発生回路であって、
その第１の電極が第１の電源電位のライン、もしくは前記第１の電源電位のラインに接続されたトランジスタに接続され、その第２の電極が前記出力ノードに接続された第１の導電形式の第１のトランジスタと、その第１の電極が第２の電源電位のライン、もしくは前記第２の電源電位のラインに接続されたトランジスタに接続され、その第２の電極が前記出力ノードに接続された第２の導電形式の第２のトランジスタとを含む駆動回路、
その第１の電極が第１のノードに接続され、その入力電極が前記出力ノードに接続され、その第２の電極が前記第１のトランジスタの入力電極に接続された第２の導電形式の第３のトランジスタと、その第１の電極が前記第２の電源電位のラインに接続され、その入力電極が前記出力ノードに接続され、その第２の電極が前記第２のトランジスタの入力電極に接続された第１の導電形式の第４のトランジスタと、前記第３および第４のトランジスタの第２の電極間に直列接続された第１および第２のダイオード素子とを含み、前記出力ノードの電位が前記第１および第２のダイオード素子間の第２のノードの電位に一致するように前記第１および第２のトランジスタを制御する制御電位発生回路、
その第１の電極が前記第１のノードに接続され、その入力電極が第３のノードに接続された第２の導電形式の第５のトランジスタと、その第１の電極が前記第２の電源電位のラインに接続され、その入力電極が前記第３のノードに接続された第１の導電形式の第６のトランジスタと、前記第５のトランジスタの第２の電極と前記第３のノードとの間に接続された第３のダイオード素子と、前記第３のノードと前記第６のトランジスタの第２の電極との間に接続された第４のダイオード素子とを含み、前記第３のノードからモニタ電位を出力するモニタ電位発生回路、および
前記モニタ電位が前記参照電位に一致するように前記第１のノードに電流を供給する電流供給回路を備える、電位発生回路。
【手続補正２】
【補正対象書類名】明細書
【補正対象項目名】請求項３
【補正方法】変更
【補正の内容】
【請求項３】
さらに、前記第１の電源電位のラインに接続されたトランジスタであって、前記第１の電源電位のラインと前記第１のトランジスタの第１の電極との間に介挿され、その入力電極が前記第１のトランジスタの第１の電極に接続された第２の導電形式の第１１のトランジスタと、前記第１の電源電位のラインと前記出力ノードとの間に接続され、その入力電極が前記第１１のトランジスタの入力電極に接続された第２の導電形式の第１２のトランジスタとを含み、前記第１のトランジスタに流れる電流に応じた値の電流を前記第１の電源電位のラインから前記第１２のトランジスタを介して前記出力ノードに流入させる第１のカレントミラー回路、および
前記第２の電源電位のラインに接続されたトランジスタであって、前記第２のトランジスタの第１の電極と前記第２の電源電位のラインとの間に介挿され、その入力電極が前記第２のトランジスタの第１の電極に接続された第１の導電形式の第１３のトランジスタと、前記出力ノードと前記第２の電源電位のラインとの間に接続され、その入力電極が前記第１３のトランジスタの入力電極に接続された第１の導電形式の第１４のトランジスタとを含み、前記第２のトランジスタに流れる電流に応じた値の電流を前記出力ノードから前記第１４のトランジスタを介して前記第２の電源電位のラインに流出させる第２のカレントミラー回路を備える、請求項１または請求項２に記載の電位発生回路。
【手続補正３】
【補正対象書類名】明細書
【補正対象項目名】００１１
【補正方法】変更
【補正の内容】
【００１１】
【課題を解決するための手段】
この発明に係る電位発生回路は、出力ノードの電位が参照電位に応じた電位になるように出力ノードの充放電を行なう電位発生回路であって、駆動回路と、制御電位発生回路と、モニタ電位発生回路と、電流供給回路とを備えたものである。駆動回路は、その第１の電極が第１の電源電位のライン、もしくは第１の電源電位のラインに接続されたトランジスタに接続され、その第２の電極が出力ノードに接続された第１の導電形式の第１のトランジスタと、その第１の電極が第２の電源電位のライン、もしくは第２の電源電位のラインに接続されたトランジスタに接続され、その第２の電極が出力ノードに接続された第２の導電形式の第２のトランジスタとを含む。制御電位発生回路は、その第１の電極が第１のノードに接続され、その入力電極が出力ノードに接続され、その第２の電極が第１のトランジスタの入力電極に接続された第２の導電形式の第３のトランジスタと、その第１の電極が第２の電源電位のラインに接続され、その入力電極が出力ノードに接続され、その第２の電極が第２のトランジスタの入力電極に接続された第１の導電形式の第４のトランジスタと、第３および第４のトランジスタの第２の電極間に直列接続された第１および第２のダイオード素子とを含み、出力ノードの電位が第１および第２のダイオード素子間の第２のノードの電位に一致するように第１および第２のトランジスタを制御する。モニタ電位発生回路は、その第１の電極が第１のノードに接続され、その入力電極が第３のノードに接続された第２の導電形式の第５のトランジスタと、その第１の電極が第２の電源電位のラインに接続され、その入力電極が第３のノードに接続された第１の導電形式の第６のトランジスタと、第５のトランジスタの第２の電極と第３のノードとの間に接続された第３のダイオード素子と、第３のノードと第６のトランジスタの第２の電極との間に接続された第４のダイオード素子とを含み、第３のノードからモニタ電位を出力する。電流供給回路は、モニタ電位が参照電位に一致するように第１のノードに電流を供給する。
【手続補正４】
【補正対象書類名】明細書
【補正対象項目名】００１３
【補正方法】変更
【補正の内容】
【００１３】
また好ましくは、さらに、第１および第２のカレントミラー回路が設けられる。第１のカレントミラー回路は、第１の電源電位のラインに接続されたトランジスタであって、第１の電源電位のラインと第１のトランジスタの第１の電極との間に介挿され、その入力電極が第１のトランジスタの第１の電極に接続された第２の導電形式の第１１のトランジスタと、第１の電源電位のラインと出力ノードとの間に接続され、その入力電極が第１１のトランジスタの入力電極に接続された第２の導電形式の第１２のトランジスタとを含み、第１のトランジスタに流れる電流に応じた値の電流を第１の電源電位のラインから第１２のトランジスタを介して出力ノードに流入させる。第２のカレントミラー回路は、第２の電源電位のラインに接続されたトランジスタであって、第２のトランジスタの第１の電極と第２の電源電位のラインとの間に介挿され、その入力電極が第２のトランジスタの第１の電極に接続された第１の導電形式の第１３のトランジスタと、出力ノードと第２の電源電位のラインとの間に接続され、その入力電極が第１３のトランジスタの入力電極に接続された第１の導電形式の第１４のトランジスタとを含み、第２のトランジスタに流れる電流に応じた値の電流を出力ノードから第１４のトランジスタを介して第２の電源電位のラインに流出させる。
【手続補正５】
【補正対象書類名】明細書
【補正対象項目名】００９５
【補正方法】変更
【補正の内容】
【００９５】
【発明の効果】
以上のように、この発明に係る電位発生回路では、駆動回路と、制御電位発生回路と、モニタ電位発生回路と、電流供給回路とが設けられる。駆動回路は、その第１の電極が第１の電源電位のライン、もしくは第１の電源電位のラインに接続されたトランジスタに接続され、その第２の電極が出力ノードに接続された第１の導電形式の第１のトランジスタと、その第１の電極が第２の電源電位のライン、もしくは第２の電源電位のラインに接続されたトランジスタに接続され、その第２の電極が出力ノードに接続された第２の導電形式の第２のトランジスタとを含む。制御電位発生回路は、その第１の電極が第１のノードに接続され、その入力電極が出力ノードに接続され、その第２の電極が第１のトランジスタの入力電極に接続された第２の導電形式の第３のトランジスタと、その第１の電極が第２の電源電位のラインに接続され、その入力電極が出力ノードに接続され、その第２の電極が第２のトランジスタの入力電極に接続された第１の導電形式の第４のトランジスタと、第３および第４のトランジスタの第２の電極間に直列接続された第１および第２のダイオード素子とを含み、出力ノードの電位が第１および第２のダイオード素子間の第２のノードの電位に一致するように第１および第２のトランジスタを制御する。モニタ電位発生回路は、その第１の電極が第１のノードに接続され、その入力電極が第３のノードに接続された第２の導電形式の第５のトランジスタと、その第１の電極が第２の電源電位のラインに接続され、その入力電極が第３のノードに接続された第１の導電形式の第６のトランジスタと、第５のトランジスタの第２の電極と第３のノードとの間に接続された第３のダイオード素子と、第３のノードと第６のトランジスタの第２の電極との間に接続された第４のダイオード素子とを含み、第３のノードからモニタ電位を出力する。電流供給回路は、モニタ電位が参照電位に一致するように第１のノードに電流を供給する。したがって、モニタ電位が参照電位に一致すると、第２のノードの電位も参照電位になり、さらに出力ノードの電位も参照電位になる。よって、出力ノードの電位を参照電位に正確に一致させることができる。
【手続補正６】
【補正対象書類名】明細書
【補正対象項目名】００９７
【補正方法】変更
【補正の内容】
【００９７】
また好ましくは、さらに、第１および第２のカレントミラー回路が設けられる。第１のカレントミラー回路は、第１の電源電位のラインに接続されたトランジスタであって、第１の電源電位のラインと第１のトランジスタの第１の電極との間に介挿され、その入力電極が第１のトランジスタの第１の電極に接続された第２の導電形式の第１１のトランジスタと、第１の電源電位のラインと出力ノードとの間に接続され、その入力電極が第１１のトランジスタの入力電極に接続された第２の導電形式の第１２のトランジスタとを含み、第１のトランジスタに流れる電流に応じた値の電流を第１の電源電位のラインから第１２のトランジスタを介して出力ノードに流入させる。第２のカレントミラー回路は、第２の電源電位のラインに接続されたトランジスタであって、第２のトランジスタの第１の電極と第２の電源電位のラインとの間に介挿され、その入力電極が第２のトランジスタの第１の電極に接続された第１の導電形式の第１３のトランジスタと、出力ノードと第２の電源電位のラインとの間に接続され、その入力電極が第１３のトランジスタの入力電極に接続された第１の導電形式の第１４のトランジスタとを含み、第２のトランジスタに流れる電流に応じた値の電流を出力ノードから第１４のトランジスタを介して第２の電源電位のラインに流出させる。この場合は、電位発生回路の電流駆動力が増大する。